(57)【要約】      （修正有）【課題】コンテンツの保存を行っていないユーザに対するコンテンツの保存忘れを防止できる端末装置を提供する。【解決手段】撮影画像管理システム１０において、少なくとも一部の処理がサーバ上で実現される所定のサービスにおいて利用可能となるコンテンツに関連付けられた端末装置６であって、コンテンツと端末装置との関連付けが解消される第１の日時を示す情報を取得する制御部６０１を備える。制御部は、現時点の日時が、第１の日時を起点とした所定の期間内である場合に、第１の日時に端末装置とコンテンツとの関連付けが解消されることを示すダイアログ画面を表示させる表示制御部６０２を備える。【選択図】図１
2020091583.tif 000002
【特許請求の範囲】
【請求項１】
少なくとも一部の処理がサーバ上で実現される所定のサービスにおいて利用可能となるコンテンツに関連付けられた端末装置であって、
当該コンテンツと当該端末装置との関連付けが解消される第１の日時を示す情報を取得する制御部を備え、
前記制御部は、
現時点の日時が、前記第１の日時を起点とした所定の期間内である場合に、前記第１の日時に当該端末装置と当該コンテンツとの関連付けが解消されることを示すダイアログ画面を表示させる表示制御部を備える
ことを特徴とする端末装置。
【請求項２】
前記制御部は、
当該コンテンツを当該端末装置において利用可能とする操作を受け付けた場合に、
当該コンテンツを示す情報を当該端末装置に送信することと、当該コンテンツを示す情報を前記サーバから削除または他の装置に移動することとを、前記サーバに対して要求する
ことを特徴とする請求項１に記載の端末装置。
【請求項３】
前記表示制御部は、
前記ダイアログ画面に、前記利用可能となるコンテンツの少なくとも一部を示す情報を含ませて表示させることを特徴とする請求項１又は２に記載の端末装置。
【請求項４】
前記制御部は、
前記ダイアログ画面に含ませる前記情報が示すコンテンツのうち、少なくとも一部を、前記利用可能となるコンテンツから無作為に選択する
ことを特徴とする請求項３に記載の端末装置。
【請求項５】
前記表示制御部は、
前記ダイアログ画面に含ませる前記情報を、当該情報が示す各コンテンツが当該端末装置に関連付けられた日時の順番に応じた順番で表示させる
ことを特徴とする請求項３に記載の端末装置。
【請求項６】
前記表示制御部は、
前記ダイアログ画面に含ませる前記コンテンツを示す情報の少なくとも一部に、当該コンテンツがまだ利用可能でないことを示すオブジェクトを含ませて表示させる
ことを特徴とする請求項３から５までの何れか１項に記載の端末装置。
【請求項７】
所定のサービスを提供するサーバであって、
前記所定のサービスにおける、端末装置を介して利用可能となるコンテンツ、及び当該コンテンツと当該端末装置との関連付けを保存するサーバ記憶部と、
当該コンテンツと当該端末装置との関連付けが解消される第１の日時を示す情報を取得し、
現時点の日時が、前記第１の日時を起点とした所定の期間内である場合に、当該端末装置に対して前記第１の日時に当該コンテンツと当該端末装置との関連付けが解消されることを示すダイアログ画面を示す情報を送信させるサーバ制御部と、
を備えることを特徴とするサーバ。
【請求項８】
少なくとも一部の処理がサーバ上で実現される所定のサービスにおいて利用可能となるコンテンツに関連付けられた端末装置によって実現される表示方法であって、
当該コンテンツと当該端末装置との関連付けが解消される第１の日時を示す情報を取得するステップと、
現時点の日時が、前記第１の日時を起点とした所定の期間内である場合に、前記第１の日時に当該端末装置と当該コンテンツとの関連付けが解消されることを示すダイアログ画面を表示するステップと、
を含むことを特徴とする表示方法。
【請求項９】
請求項１に記載の端末装置としてコンピュータを機能させるための制御プログラムであって、上記制御部としてコンピュータを機能させるための制御プログラム。
【請求項１０】
請求項９に記載の制御プログラムを記録したコンピュータ読み取り可能な記録媒体。
【発明の詳細な説明】
【技術分野】
【０００１】
本発明は、被写体を撮影した撮影画像またはその編集画像である画像データを管理する写真管理サービスに係る端末装置および管理サーバなどに関する。
【背景技術】
【０００２】
従来、写真シール作成機でゲームしたユーザに写真シールを提供するだけでなく、撮影画像をユーザの通信端末装置に提供するサービスがある。
【０００３】
撮影画像をユーザの通信端末装置に提供するサービスは、一般的に、以下の順序で行われる。
【０００４】
写真シール作成機は、ユーザによるメールアドレスの入力を受け付けて、当該メールアドレスと撮影画像とをサーバに送信する。
【０００５】
ユーザによって入力されたメールアドレスと撮影画像とを受信したサーバは、撮影画像を記憶し、当該メールアドレス宛てに撮影画像がサーバに届いたことを通知するメールを送信する。撮影画像は、サーバに蓄積される撮影画像によるサーバの容量不足を未然に防ぐため、一定期間保存されたのちに消去される。
【０００６】
サーバが送信した上記通知メールにはＵＲＬが示されており、ユーザが通信端末装置から当該ＵＲＬにアクセスすると撮影画像のサムネイルが当該通信端末装置に表示される。ユーザが会員登録者であれば、ユーザは上記サムネイルから解像度の高い撮影画像を表示させることが可能であり、当該撮影画像を上述した一定期間の保存を行う記憶領域とは異なる各ユーザ専用の記憶領域（ユーザの通信端末装置を含む）に保存することができる。
【０００７】
上述したように、サーバによって一時保存された撮影画像は、一定期間保存されたのちに消去される。
【０００８】
そのため、一定期間内においてユーザが撮影画像を各ユーザ専用の記憶領域に保存することを忘れると、撮影画像がサーバから削除され、ユーザは当該撮影画像を閲覧することができなくなってしまう。
【０００９】
一方、特許文献１においては、オブジェクトの保存期限の管理およびそのオブジェクトの保存期限が到来した場合の対応を自動的に行うことができるようにし、あわせて操作者にとって真に不要なオブジェクトのみを削除することを目的とした期限切れオブジェクトの処理プログラムおよびシステムが開示されている。
【００１０】
詳細には、オブジェクトの属性として、そのオブジェクトのＩＤ、そのオブジェクトが登録されている登録場所、そのオブジェクトの保存期限およびそのオブジェクトの保存期限が到来した場合の対応であるルールを記憶する属性記憶機能と、前記属性記憶機能によって記憶されている保存期限が到来した場合は、前記ルールに従って、そのオブジェクトを処理する期限切れ処理機能を有している。
【先行技術文献】
【特許文献】
【００１１】
【特許文献１】特開２００７−１０９１１５号公報（２００７年４月２８日公開）
【発明の概要】
【発明が解決しようとする課題】
【００１２】
特許文献１には、さらに、上記ルールとして保存期限が到来したことをメール等によって操作者に知らせることが開示されている。
【００１３】
上述のような従来技術においては、オブジェクトの保存期限が到来した時に、その旨を操作者に知らせる構成である。したがって、例えば、上記撮影画像を保存するサーバにおいて上述のような従来技術を適用した場合、撮影画像の保存期限が到来する前に、ユーザに対してメールを送信することができない。すなわち、撮影画像の保存忘れを防止することができないという問題が生じる。
【００１４】
また、仮に保存期限の到来よりも前に、保存期限が近付いていることを知らせるメール等の通知が操作者に送信されたとしても、保存期限までに操作者が当該通知に気づかないという虞がある。
【００１５】
本発明は上記の課題を解決するためになされたものである。そして、その目的は、コンテンツの保存を行っていないユーザに対するコンテンツの保存忘れを防止できる端末装置を提供することにある。
【課題を解決するための手段】
【００１６】
上記の課題を解決するために、本発明の一態様に係る端末装置（携帯端末）は、少なくとも一部の処理がサーバ上で実現される所定のサービスにおいて利用可能となるコンテンツに関連付けられた端末装置であって、当該コンテンツと当該端末装置との関連付けが解消される第１の日時を示す情報を取得する制御部を備え、前記制御部は、現時点の日時が、前記第１の日時を起点とした所定の期間内である場合に、前記第１の日時に当該端末装置と当該コンテンツとの関連付けが解消されることを示すダイアログ画面を表示させる表示制御部を備えている。前記の構成によれば、コンテンツの保存を行っていないユーザに対するコンテンツの保存忘れを防止できる。
【００１７】
本発明の一態様に係る端末装置では、前記制御部は、当該コンテンツを当該端末装置において利用可能とする操作を受け付けた場合に、当該コンテンツを示す情報を当該端末装置に送信することと、当該コンテンツを示す情報を前記サーバから削除または他の装置に移動することとを、前記サーバに対して要求してもよい。前記の構成によれば、コンテンツを送信する指示と、サーバの記憶容量を節約するための指示とを送信可能な端末装置を実現できる。
【００１８】
本発明の一態様に係る端末装置では、前記表示部は、前記ダイアログ画面に、前記利用可能となるコンテンツの少なくとも一部を示す情報を含ませて表示してもよい。前記の構成によれば、第１の日時に端末装置との関連付けが解消されるコンテンツが容易に把握できる。
【００１９】
本発明の一態様に係る端末装置では、前記制御部は、前記ダイアログ画面に含ませる前記情報が示すコンテンツのうち、少なくとも一部を、前記利用可能となるコンテンツから無作為に選択してもよい。前記の構成によれば、関連付けられたコンテンツを無作為に提示可能な端末装置を実現できる。
【００２０】
本発明の一態様に係る端末装置では、前記表示制御部は、前記ダイアログ画面に含ませる前記情報を、当該情報が示す各コンテンツが当該端末装置に関連付けられた日時の順番に応じた順番で表示させてもよい。前記の構成によれば、各コンテンツが端末装置に関連付けられた順番を容易に確認できる。
【００２１】
本発明の一態様に係る端末装置では、前記表示制御部は、前記ダイアログ画面に含ませる前記コンテンツを示す情報の少なくとも一部に、当該コンテンツがまだ利用可能でないことを示すオブジェクトを含ませて表示させてもよい。前記の構成によれば、当該コンテンツがまだ利用可能でないことを容易に把握できる。また、例えばコンテンツが画像である場合に、スクリーンショットによって元の画像が取得されることを抑制できる。
【００２２】
上記の課題を解決するために、本発明の一態様に係るサーバは、所定のサービスを提供するサーバであって、前記所定のサービスにおける、端末装置を介して利用可能となるコンテンツ、及び当該コンテンツと当該端末装置との関連付けを保存するサーバ記憶部と、当該コンテンツと当該端末装置との関連付けが解消される第１の日時を示す情報を取得し、現時点の日時が、前記第１の日時を起点とした所定の期間内である場合に、当該端末装置に対して前記第１の日時に当該コンテンツと当該端末装置との関連付けが解消されることを示すダイアログ画面を示す情報を送信させるサーバ制御部と、を備えている。前記の構成によれば、コンテンツの保存を行っていないユーザに対するコンテンツの保存忘れを防止できる。
【００２３】
上記の課題を解決するために、本発明の一態様に係る表示方法は、少なくとも一部の処理がサーバ上で実現される所定のサービスにおいて利用可能となるコンテンツに関連付けられた端末装置によって実現される表示方法であって、当該コンテンツと当該端末装置との関連付けが解消される第１の日時を示す情報を取得するステップと、現時点の日時が、前記第１の日時を起点とした所定の期間内である場合に、前記第１の日時に当該端末装置と当該コンテンツとの関連付けが解消されることを示すダイアログ画面を表示するステップと、を含んでいる。前記の方法によれば、コンテンツの保存を行っていないユーザに対するコンテンツの保存忘れを防止できる。
【００２４】
本発明の各態様に係る携帯端末は、コンピュータによって実現してもよく、この場合には、コンピュータを上記携帯端末が備える各部（ソフトウェア要素）として動作させることにより上記携帯端末をコンピュータにて実現させる携帯端末の制御プログラム、およびそれを記録したコンピュータ読み取り可能な記録媒体も、本発明の範疇に入る。
【発明の効果】
【００２５】
本発明の一態様によれば、コンテンツの保存を行っていないユーザに対するコンテンツの保存忘れを防止できる。
【図面の簡単な説明】
【００２６】
【図１】本発明の第１実施形態に係る管理サーバの要部構成を示すブロック図である。
【図２】本発明の第１実施形態に係る撮影画像管理システムの構成を示す図である。
【図３】本発明の第１実施形態に係る写真シール作成装置の外観の構成例を示す斜視図である。
【図４】本発明の第１実施形態に係る写真シール作成装置の外観を他の角度からみた斜視図である。
【図５】本発明の第１実施形態におけるユーザの移動について説明する図である。
【図６】本発明の第１実施形態に係る写真シール作成装置に備えられる撮影部の構成例を示す図である。
【図７】本発明の第１実施形態に係る写真シール作成装置に備えられる背景部の構成例を示す図である。
【図８】本発明の第１実施形態に係る写真シール作成装置に備えられる編集部の構成例を示す図である。
【図９】本発明の第１実施形態に係る写真シール作成装置に備えられる事後接客部の構成例を示す図である。
【図１０】本発明の第１実施形態に係る写真シール作成装置の内部の構成例を示すブロック図である。
【図１１】本発明の第１実施形態に係る会員データベースの例を示す図である。
【図１２】本発明の第１実施形態に係る画像保存判定データベースの例を示す図である。
【図１３】未保存画像に係る通知例１に係る処理の流れを示すフローチャートである。
【図１４】表示部に表示されるダイアログ画面の一例を示す図である。
【図１５】未保存画像に係る通知例２に係る処理の流れを示すフローチャートである。
【図１６】プッシュ通知が表示された画面の一例を示す図である。
【発明を実施するための形態】
【００２７】
〔実施形態〕
本発明の実施形態について、図１〜図１６を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅などの寸法は、実際の形状および寸法を反映させたものではなく、図面の明瞭化と簡略化のために適宜変更している。
【００２８】
（撮影画像管理システム１０）
図２は、本発明の第１実施形態に係る撮影画像管理システム１０の構成を示す図である。図２に示すように、撮影画像管理システム１０は、写真シール作成装置１、携帯端末（端末装置）６、および管理サーバ（サーバ）４を備えている。
【００２９】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービス（画像管理サービス）をユーザに提供する。写真撮影、画像編集、および写真シール印刷のサービスは、ゲームセンターなどの店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００３０】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００３１】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００３２】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００３３】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００３４】
画像提供サイトへの画像保存後、ユーザは、携帯端末６または所望の他の装置を用いて画像提供サイトにログインして、画像をダウンロードすることができる。
【００３５】
（写真シール作成装置の構成）
撮影画像管理システム１０を構成する各装置の構成および機能について、以下に詳細に説明する。まず、写真シール作成装置１の詳細について、図３〜図１０を参照して説明する。図３は、本発明の第１実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００３６】
（撮影ユニット１１）
撮影ユニット１１は、撮影部２１および背景部２２を備えている。撮影部２１と背景部２２とは、所定の距離だけ離れて設置される。撮影部２１と背景部２２の間に形成される空間である撮影空間において、撮影制御が行われる。
【００３７】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタなどが設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００３８】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００３９】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００４０】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００４１】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００４２】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成することができるようにしてもよい。
【００４３】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４４】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタなどの構成が設けられる。
【００４５】
図３に示す編集部１２の構成を正面側の構成とすると、２組のユーザが同時に編集することができるように、編集部１２の正面側と背面側には編集制御に用いられる構成がそれぞれ設けられる。
【００４６】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００４７】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４８】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間と背面前方の空間が、ユーザが編集制御を行う編集空間となる。
【００４９】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理などが含まれる。
【００５０】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口などが設けられる。事後接客部１３の正面前方の空間が、シール紙への印刷が終わるのを待っているユーザが事後接客に対する操作を行う事後接客空間となる。
【００５１】
（ユーザの移動）
写真シール作成ゲームの流れと、それに伴うユーザの移動について図５を参照して説明する。図５は、ユーザの移動について説明する図である。
【００５２】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタなどを利用して撮影制御を行う。
【００５３】
なお、ユーザの画像の撮影においては、すべての撮影がシール紙に印刷される画像を撮影するものとは限らず、携帯端末６に送信するため（または、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００５４】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５５】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザと、編集空間Ａ２−２のユーザは同時に編集制御を行うことができる。
【００５６】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００５７】
画像の印刷が終了したとき、ユーザは、事後接客部１３に設けられた排出口からシール紙を受け取り、一連の写真シール作成ゲームを終えることになる。
【００５８】
（各部材の構成）
次に、写真シール作成装置１に備えられる各部材の構成について説明する。
【００５９】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００６０】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００６１】
正面パネル４１のほぼ中央には撮影・表示ユニット８１が設けられる。撮影・表示ユニット８１は、カメラ９１、正面ストロボ９２、およびタッチパネルモニタ９３から構成される。
【００６２】
カメラ９１は、ＣＣＤ（Charge Coupled Device）またはＣＭＯＳ（Complementary metal-oxide semiconductor）などの撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたときなどの所定のタイミングでカメラ９１によって取り込まれた画像は画像（静止画像）として保存される。
【００６３】
カメラ９１の下側に設けられたタッチパネルモニタ９３は、ＬＣＤ（Liquid Crystal Display）などのモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００６４】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６５】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００６６】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００６７】
足元ストロボ８６の右側には、ユーザがお金を投入する硬貨投入返却口８７が設けられる。
【００６８】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）、効果音等の音を出力するスピーカも設けられる。
【００６９】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００７０】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００７１】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７２】
タブレット内蔵モニタ１３１は、タッチペン１３２Ａおよび１３２Ｂを用いて操作入力が可能なタブレットがＬＣＤなどのモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００７３】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログなどに利用する画像などに対して、印刷される画像に対する編集とは異なる編集をしたいというユーザの意向にこたえるためのものである。
【００７４】
（事後接客部１３）
編集部１２の左側には事後接客部１３が設けられる。図９は、写真シール作成装置１に備えられる事後接客部１３の構成例を示す図である。
【００７５】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤなどのモニタに重畳して設けられることによって構成される。タブレット内蔵モニタ１６１には、ミニゲームなどの事後接客の工程において用いられる画面が表示される。
【００７６】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００７７】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００７８】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００７９】
スピーカ１６５は、事後接客時の案内音声、ＢＧＭ、効果音等の音を出力する。
【００８０】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００８１】
制御部２０１は、ＣＰＵ（Central Processing Unit）などから構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００８２】
記憶部２０２は、ハードディスクまたはフラッシュメモリなどの不揮発性の記憶媒体からなり、制御部２０１から供給された各種の設定情報を記憶する。記憶部２０２に記憶されている情報は制御部２０１によって適宜読み出される。
【００８３】
通信部２０３はインターネットなどのネットワークのインタフェースであり、制御部２０１による制御に従って外部の装置と通信を行う。
【００８４】
ドライブ２０４には、光ディスクまたは半導体メモリなどよりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００８５】
ＲＯＭ２０６には、制御部２０１において実行されるプログラムおよびデータが記憶されている。ＲＡＭ２０７は、制御部２０１が処理するデータおよびプログラムを一時的に記憶する。
【００８６】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００８７】
硬貨処理部２２１は、硬貨投入返却口８７に対する硬貨の投入を検出する。硬貨処理部２２１は、例えば３００円などの所定の金額分の硬貨が投入されたことを検出した場合、そのことを表す起動信号を制御部２０１に出力する。
【００８８】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００８９】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２、背面右ストロボ１０３が設けられる。各ストロボの内部には蛍光灯も設けられる。
【００９０】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００９１】
カメラ９１は、制御部２０１による制御に従って撮影を行い、撮影によって得られた画像（画像）を制御部２０１に出力する。また、カメラ９１は、後述するユーザ認証を行う場合、ユーザの身体の一部、ユーザの姿勢（ポーズ）、または、ユーザの動き（ジェスチャー）を静止画または動画として撮影することにより、画像認証に係る情報（画像認証情報）を生成するための画像（認証用画像）を撮影し、制御部２０１に送信しても良い。
【００９２】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【００９３】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【００９４】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【００９５】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３と印刷部２１１が、事後接客空間Ａ３にいるユーザを相手とした事後接客に関する処理を行う構成となる。
【００９６】
また、印刷部２１１は、印刷制御に係る処理において、シール紙への撮影画像（または編集画像）の印刷に加え、欄外（シール紙の端部など）に、管理サーバ４へ送信した画像を取得するためのＵＲＬ（Uniform Resource Locater）、および、シールＩＤ（画像取得用ＩＤ）などを印刷してもよい。シールＩＤとは、写真シール作成装置１において１ゲーム中に生成された１または複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【００９７】
これは、例えば、事後接客部１３などにおいてユーザからメールアドレスの入力を受け付ける際に、タイムアウトやミス入力により正しいアドレスを受け付けることができず、画像を取得するためのＵＲＬなどの情報をユーザに送信することができないなど場合に、シール紙に印刷されているＵＲＬにアクセスしてシールＩＤを入力することによりユーザが画像を取得することができるようにするためである。
【００９８】
なお、印刷部２１１は、画像を取得するための情報として、ＵＲＬではなく、例えば、所定のメールアドレスまたはＱＲコード（登録商標）などを印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコードが印刷されている場合には、ユーザは、携帯端末６を用いてＱＲコードの示すウェブページへアクセスすることにより、画像取得用ページへ直接アクセスすることもできる。
【００９９】
なお、別の態様として、上述した画像取得用ページへのアクセスに使用されるＵＲＬ、所定のメールアドレスまたはＱＲコード等は、写真シール作成装置１のタブレット内蔵モニタ１３１または１６１に表示される構成でもよい。
【０１００】
（管理サーバ４）
次に、管理サーバ４の詳細について、図１を参照して説明する。図１は、本発明の実施形態１に係る管理サーバ４の要部構成を示すブロック図である。この図に示すように、管理サーバ４は、主に、制御部（サーバ制御部）４０１、記憶部（サーバ記憶部）４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【０１０１】
なお、管理サーバ４は、記憶部４０２の会員データベース４２２に格納された会員情報を写真シール作成装置１に定期的に送信してもよい。なお、写真シール作成装置１が、会員情報を定期的にダウンロードしてもよい。この場合、管理サーバ４と写真シール作成装置１とは、通信負荷が比較的少ない午前中や夜間に通信を行い、会員情報を送受信することが望ましい。
【０１０２】
（制御部４０１の詳細）
図１に示すように、制御部４０１は、通信制御部４１１、メール作成部４１２、ウェブページ作成部４１３、画像管理部（保存処理部）４１４、および認証部４１５を備えている。
【０１０３】
（通信制御部４１１）
通信制御部４１１は、通信部４０３による通信を制御する。
【０１０４】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１０５】
（ウェブページ作成部４１３）
ウェブページ作成部４１３は、携帯端末６、または、写真シール作成装置１（後述する各種モニタ）に表示されるウェブページを作成する。本実施形態では、ウェブページ作成部４１３は、ウェブページデータベース４２３に格納されているデータを用いて、携帯端末６または写真シール作成装置１から受信したアクセス要求に応じたウェブページを作成し、通信制御部４１１に出力する。詳細は後述するが、ウェブページ作成部４１３は、ユーザの会員種別に応じたウェブページを作成する。
【０１０６】
なお、以下において「ページ」は、例えば、ウェブページのように、管理サーバ４が携帯端末６等の通信端末または写真シール作成装置１に送信して表示するためのデータを意味する。上記ページには、通常、テキストデータおよび画像データが含まれており、さらに、音声データおよび動画データが含まれていてもよい。
【０１０７】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１０８】
（認証部４１５）
認証部４１５は、例えば、画像管理サービスへのログイン時に携帯端末６からユーザ認証の要求を受け付け、ユーザ認証を行うものである。認証部４１５は、携帯端末６から送信された画像データ（認証用撮影画像、ログイン画像）を用いて、予め登録されている会員であるか否かを判定し、画像提供サイトへのアクセス（画像管理サービスへのログイン）、およびユーザのマイページへの未保存画像の保存を行うものであり、画像データ取得部４１５１、特徴量抽出部４１５２、および照合部４１５３を含む。なお、本実施形態では、ログイン画像および個人識別用データとしてユーザの顔画像を想定しているが、これに限られるものではない。後述するように、ユーザの顔画像以外をログイン画像および個人識別用データとしてもよい。
【０１０９】
画像データ取得部４１５１は、通信部４０３を介して携帯端末６から、携帯端末６にて撮影された認証用撮影画像の画像データを取得し、特徴量抽出部４１５２に送信する。
【０１１０】
特徴量抽出部４１５２は、画像データ取得部４１５１から送信された画像データの特徴量を抽出し、照合部４１５３に送信する。
【０１１１】
照合部４１５３は、特徴量抽出部４１５２から送信された画像データの特徴量と、会員データベース４２２に保存されている、ユーザの個人識別用データとを照合する。
照合の手法は、どのような技術を用いて行ってもよいが、例えば、顔の輪郭点が各々一致するか否か比較する、特定の器官の輪郭点（網膜等）が各々一致するかを比較する等が挙げられる。そして、比較の結果、信頼度が閾値以上である場合、送信された画像データの特徴量と、会員データベース４２２に保存されている、ユーザの個人識別用データとが合致すると判断する。そして、特徴量と個人識別用データとが合致する場合、照合部４１５３は、ユーザ認証が成功したと判断し、携帯端末６から画像提供サイトのユーザのマイページへのアクセスを許可（ログイン）するとともに、写真シール作成装置１にて撮影された撮影画像のうち、ユーザのマイページに保存されていない撮影画像を、ユーザのマイページへ保存する指示を画像管理部４１４に送信する。マイページとは、画像提供サイトにおけるユーザ毎の固有のページである。ユーザはマイページにアクセスすることにより、写真シール作成装置１で撮影し、保存した撮影画像を閲覧等することができる。
【０１１２】
一方、特徴量と個人識別用データとが合致しない場合、照合部４１５３は、ユーザ認証が失敗した旨を携帯端末６に通知する。
【０１１３】
なお、ユーザ認証が所定の回数、失敗した場合は、会員ＩＤおよびパスワードによる認証を求めてもよい。または、複数の種類の認証が可能である場合、他の認証方法に認証方法を切り替える操作を行って、当該他の認証方法による認証を求めてもよい。
【０１１４】
（記憶部４０２の詳細）
図１に示すように、記憶部４０２は、メールデータベース４２１、会員データベース４２２、ウェブページデータベース４２３、画像データベース４２４、および画像保存判定データベース４２５を含む。
【０１１５】
（メールデータベース４２１）
メールデータベース４２１は、ユーザに送信するメールを作成するための各種データを格納している。
【０１１６】
（会員データベース４２２）
会員データベース４２２は、画像提供サイトの会員であるユーザに関する各種情報（会員情報）を格納している。図１１に、会員データベース４２２の例を示す。図１１に示すように、本実施形態では、会員データベース４２２には、写真シール作成装置１を利用するユーザを識別する個人識別用データ（例えば顔情報）と、ユーザを特定する情報（ユーザ特定情報）が、ユーザ別に格納されている。ユーザ特定情報としては、例えば、ユーザの会員ＩＤ、メールアドレス、ニックネーム、パスワード、生年月日、住所、会員属性、入会日、および、ユーザが保有する携帯端末の端末ＩＤなどを挙げることができる。また、会員属性としては、例えば、有料会員および無料会員などを挙げることができる。
【０１１７】
（ウェブページデータベース４２３）
ウェブページデータベース４２３は、携帯端末６または写真シール作成装置１（後述する各種モニタ）に表示される画像提供サイトのウェブページを作成するための各種データを格納している。
【０１１８】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１１９】
図示はしないが、記憶部４０２は、写真シール作成装置１から受信した画像などのデータを一時的に保存する一時保存データベースも有している。
【０１２０】
（画像保存判定データベース４２５）
画像保存判定データベース４２５には、写真シール作成装置１によって撮影された撮影画像をユーザがマイページに保存したか否かが記録されている。図１２に画像保存判定データベース４２５の例を示す。図１２に示すように、画像保存判定データベース４２５には、会員ＩＤ、パスワード、メールアドレス、シールＩＤ、シール機で撮影した撮影日時、撮影画像データ、および画像保存の有無が記録されている。例えば、会員ＩＤ「００１」のユーザが撮影した画像データが、Ａ１、Ａ２、Ａ３と３枚あり、そのうちのＡ１をマイページに保存していた場合、図１２に示すように、「撮影画像データ」Ａ１に対応する「画像保存の有無」には保存されていることを示す情報（図１２では○で示す）が記録され、保存されていないＡ２およびＡ３に対応する「画像保存の有無」には保存されていないことを示す情報（図１２では×で示している）が記録される。なお、保存されていない場合は「NULL」と記録し、保存された場合は、当該「NULL」が削除されるものであってもよい。
【０１２１】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１２２】
（携帯端末６）
図１に示すように、携帯端末６は、主に、制御部６０１、記憶部６０８、通信部６０９、および表示部６０７を備えている。制御部６０１は、携帯端末６に備えられる各部材を統括制御する。記憶部６０２は、携帯端末６において使用される各種データを記憶する。通信部６０９は、撮影画像管理システム１０を構成する他の装置と通信する。
【０１２３】
表示部６０７は、ユーザに対して各種情報、例えば、画像提供サイトへまだ保存されていない画像があることを示す通知等を表示する。また、表示部６０７は、ユーザが携帯端末６に情報を入力するためのタッチパネルとしても機能する。
【０１２４】
また、制御部６０１は、携帯端末６全体を統括し、通信制御部６１１および表示制御部６０２としても機能する。通信制御部６１１は、通信部６０３による通信を制御する。表示制御部６０２は、表示部６０７における情報表示を制御する。たとえば、通信制御部６１１から入力されたウェブページを表示制御部６０２が表示部６０７に出力することによって、当該ウェブページを表示部６０７に表示させることができる。
【０１２５】
（未保存画像に係る通知例１）
本例では、少なくとも一部の処理がサーバ上で実現される所定のサービスにおいて利用可能となるコンテンツに関連付けられた携帯端末（端末装置）６であって、当該コンテンツと携帯端末６との関連付けが解消される第１の日時を示す情報を取得する制御部６０１を備え、制御部６０１は、前記所定のサービスが利用された第２の日時が、前記第１の日時を起点とした第１の期間内である場合に、前記第１の日時に携帯端末６と当該コンテンツとの関連付けが解消されることを示すダイアログ画面を表示させる表示制御部６０２を備える携帯端末６における処理の一例についてステップごとに説明する。上記の携帯端末６の構成によって、コンテンツの保存を行っていないユーザに対するコンテンツの保存忘れを防止できる。
【０１２６】
以下、所定のサービスとして、上述した撮影画像管理システム１０が提供する、ユーザの写真撮影、画像の編集、画像の写真シールとしての印刷、および画像提供サイトへの画像の保存を、サービスの一部または全部として実現するサービス（以下、画像管理サービスと称することもある。）を例に挙げて説明するが、これに限定されず、例えば、サーバが期間限定で動画を配信するサービス等を適用してもよい。
【０１２７】
また、以下、コンテンツとして、写真シール作成装置１で撮影された写真を例に挙げて説明するが、これに限定されず、例えば、動画や音楽等を適用してもよい。
【０１２８】
また、本例において「利用可能となるコンテンツ」とは、写真シール作成装置１で撮影され、管理サーバ４に保存された写真のうち、画像提供サイトのマイページにユーザが利用可能なものとしてまだ保存されていない写真を意味するものとする。
【０１２９】
また、本例において「利用可能となるコンテンツに関連付けられた携帯端末６」とは、写真シール作成装置１で写真撮影が行われた際に入力されたメールアドレス宛てのメールを受信可能な携帯端末を意味するものとする。また、後述するアプリケーションの起動時には、当該メールアドレスをＩＤとして上述した画像管理サービスに対するログインがなされるものとする。
【０１３０】
なお上述したように、印刷部２１１がシール紙に印刷したＵＲＬ、所定のメールアドレス、若しくはＱＲコード等、又は写真シール作成装置１に表示されたＵＲＬ、所定のメールアドレス、若しくはＱＲコード等を介して画像取得用ページへアクセスする場合においては、「利用可能となるコンテンツに関連付けられた携帯端末６」とは、それらのＵＲＬ等を介して画像取得用ページへアクセスする場合に用いられる携帯端末を意味するものであってもよい。
【０１３１】
また、本例において「コンテンツを、携帯端末６を介して利用可能とする」とは、携帯端末６を介して参照又はダウンロードが可能となるように、画像提供サイトのマイページに対象となる写真を保存することを意味するものとする。
【０１３２】
なお、別の態様として、所定のサービスは、写真シール作成装置１で撮影された写真を、画像提供サイトを介さずに、端末装置６の記憶部６０８に直接保存するものであってもよい。その場合、上述した「利用可能となるコンテンツ」とは、写真シール作成装置１で撮影され、管理サーバ４に保存された写真のうち、端末装置６にまだ保存されていない写真を意味するものであってもよい。また、上記の場合、「コンテンツを、携帯端末６を介して利用可能とする」とは、対象となる写真を端末装置６に保存することを意味するものであってもよい。
【０１３３】
また、所定の日時である第１の日時までに、画像提供サイトにまだ保存されていない写
真を、携帯端末６を介して利用可能とする操作が行われなかった場合、第１の日時に当該写真と携帯端末６との関連付けが解消され、第１の日時が経過した後は、当該写真を、携帯端末６を介して利用可能とする操作は行えないものとする。
【０１３４】
図１３は、本例に係る処理の流れを示すフローチャートである。ステップＳ１０１において、携帯端末６が備える制御部６０１は、ユーザの操作に基づいて、所定のアプリケーションを起動し、画像管理サービスの利用を開始する。
【０１３５】
また、所定のアプリケーションは、少なくとも画像管理サービスを利用可能なものとして専用に作成されたものであってもよいし、画像提供サイトのＵＲＬにアクセス可能なブラウザであってもよい。別の側面から言えば、画像管理サービスは、専用に作成されたアプリケーションを介して利用されるものであってもよいし、汎用のブラウザを介して利用されるものであってもよい。何れの場合においても画像管理サービスに対するログインが成功したのちに、ステップＳ１０２の処理が実行される。
【０１３６】
ステップＳ１０２において、制御部６０１は、写真シール作成装置１で撮影された写真であって、当該ユーザによって所有される携帯端末６に関連付けられた写真のうち、画像提供サイトにまだ保存されていないものが有るか否かの確認を、管理サーバ４に対して要求する。
【０１３７】
ステップＳ１０３において、管理サーバ４が備える制御部４０１は、写真シール作成装置１で撮影された写真であって、当該ユーザによって所有される携帯端末６に関連付けられた写真のうち、画像提供サイトにまだ保存されていないものが有るか否かを判定する。ここで、まだ画像提供サイトに保存されていない写真とは、図１２のデータベース４２５における、×印が付された撮影画像データに相当する。
【０１３８】
制御部４０１が、画像提供サイトにまだ保存されていない写真が有ると判定した場合、続いてステップＳ１０４の処理が実行され、まだ保存されていない写真は無いと判定した場合、図１３のフローチャートに基づく処理が終了し、携帯端末６側では、アプリケーションを使用したサービスの利用が継続される。
【０１３９】
ステップＳ１０４において、制御部４０１は、画像提供サイトにまだ保存されていない１又は複数の写真と携帯端末６との関連付けが第１の日時に解消されることを示す情報、および当該写真を示す情報を、携帯端末６に対して送信する。なお、第１の日時は、写真ごとに互いに異なり得る。
【０１４０】
ステップＳ１０５において、制御部４０１は、管理サーバ４から送信された１又は複数の写真のうち、第２の日時が、第１の日時を起点とした、所定の期間である第１の期間内である写真が有るか否かを判定する。ここで、第２の日時は、例えば、画像管理サービスに対するログインがなされた日時、つまり画像管理サービスの利用が行われた、現時点の日時であってもよい。また、第１の期間および後述する第２の期間は、特定の期間に限定されず、例えば１週間であってもよいし、２００時間等であってもよい。また、これらの期間は写真ごとに互いに異なる期間が設定されてもよい。
【０１４１】
制御部４０１が、第２の日時が、第１の日時を起点とした第１の期間内である写真が有ると判定した場合、続いてステップＳ１０６の処理が実行され、第1の期間内である写真は無いと判定した場合、図１３のフローチャートに基づく処理が終了し、携帯端末６側では、アプリケーションを使用したサービスの利用が継続される。
【０１４２】
ステップＳ１０６において、表示制御部６０２は、現時点において画像提供サイトにまだ保存されていない写真を、画像提供サイトに保存するか否か、即ち携帯端末６を介して利用可能とするか否かの選択肢を示すダイアログ画面を表示させる。ここで、ダイアログ画面とは、当該ダイアログ画面が示す選択肢の何れかの選択を、ユーザの次の操作として強いる画面である。つまり、ユーザは、ダイアログ画面において提示された選択肢うち、何れかを選択しない限り、アプリケーションにおける他の操作を行うことができない。
【０１４３】
なお、別の態様として、上述した選択肢は単数であってもよく、単にダイアログ画面を確認したことを示すものであってもよい。
【０１４４】
図１４は当該ダイアログ画面の一例を示す図である。図１４に示す画面において、オブジェクト３０１は、ダイアログ画面の一例である。ボタン３０３は、ダイアログ画面を閉じるためのボタンである。なお、ボタン３０３に対する選択操作は、画像提供サイトにまだ保存されていない写真を、現時点においては引き続きまだ保存しない選択に相当する。写真３０５は、画像提供サイトにまだ保存されていない写真の一例である。図１４に例示するように、表示制御部６０２は、ダイアログ画面に、所定のサービスにおいて利用可能となるコンテンツの少なくとも一部を示す情報を含ませて表示させてもよい。これにより、第１の日時に携帯端末６との関連付けが解消されるコンテンツが容易に把握できる。
【０１４５】
また、表示制御部６０２は、ダイアログ画面に含ませる各写真を、当該写真が携帯端末６に関連付けられた日時の順番に応じた順番で表示させてもよい。これにより、各写真が携帯端末６に関連付けられた順番を容易に確認できる。ここで、日付３０７は、対象となる写真と携帯端末６との関連付けが解消される日付を示している。この例では、写真シール作成装置１で各写真が撮影されてから各写真と携帯端末６との関連付けが解消されるまでの期間は同じであり、ダイアログ画面には、各写真が携帯端末６に関連付けられた日時が古い順に写真が並べられて表示されている。なお、表示制御部６０２は、各写真が携帯端末６に関連付けられた日時が新しい順に写真を並べて表示させてもよい。
【０１４６】
また、表示制御部６０２は、ダイアログ画面に含ませる各写真を、当該写真と携帯端末６との関連付けが解消される日時の順番に応じた順番で表示させる構成でもよい。上記の構成においては、写真シール作成装置１で各写真が撮影されてから各写真と携帯端末６との関連付けが解消されるまでの期間が写真ごとに互いに異なる場合、ダイアログ画面に含まれる各写真が携帯端末６に関連付けられた日時の順番に応じた順番で表示される構成とは、ダイアログ画面に含まれる写真の順番が異なり得る。
【０１４７】
また、特に画像提供サイトにまだ保存されていない写真の数が、ダイアログ画面に一度に表示可能な数よりも多い場合、制御部６０１は、画像提供サイトにまだ保存されていない写真から、ダイアログ画面に含ませる写真を無作為に選択してもよいし、表示部６０７に表示させる写真の順番も無作為であってもよい。これにより、関連付けられた写真を無作為に提示可能な携帯端末６が実現できる。
【０１４８】
オブジェクト３０９は、対象となる写真が画像提供サイトにまだ保存されていないことを示している。図１４に例示するように、表示制御部６０２は、ダイアログ画面に含ませるコンテンツを示す情報の少なくとも一部に、当該コンテンツがまだ利用可能でないことを示すオブジェクトを含ませて表示させてもよい。これにより、例えばコンテンツが画像である場合に、スクリーンショットによって元の画像が取得されることを抑制できる。
【０１４９】
ボタン３１１は、ダイアログ画面に表示しきれない写真も含め、画像提供サイトにまだ保存されていない全ての写真を、携帯端末６を介して利用可能なものとして画像提供サイトに保存する操作を受け付けるボタンである。
【０１５０】
なお、別の態様として、画像提供サイトにまだ保存されていない写真のうち、携帯端末６を介して利用可能なものとして画像提供サイトに保存する写真を、ユーザが選択可能な構成でもよい。
【０１５１】
ステップＳ１０７において、制御部６０１は、画像提供サイトにまだ保存されていない写真を全て保存する指示がなされたか否かを判定する。制御部６０１が、当該指示がなされたと判定した場合、換言すると、図１４の例においてボタン３１１が選択された場合、
当該指示がなされたことを示す情報が携帯端末６から管理サーバ４に対して送信され、続いてステップＳ１０８の処理が実行される。制御部６０１が、当該指示がなされていないと判定した場合、換言すると、図１４の例においてボタン３０３が選択された場合、図１３のフローチャートに基づく処理が終了し、携帯端末６側では、アプリケーションを使用したサービスの利用が継続される。また、例えばボタン３１１が選択された後、ステップＳ１０８における処理の前に、ユーザの会員属性を無料会員から有料会員に変更することを確認するための画面の表示や、有料会員に登録するために必要な情報の入力を受け付ける処理等が行われてもよい。
【０１５２】
ステップ１０８において、制御部４０１は、携帯端末６に関連付けられていた写真であって、画像提供サイトにまだ保存されていなかった写真を、携帯端末６を所有するユーザが利用可能なものとして画像提供サイトに保存する処理を行う。また、制御部４０１は、当該処理が完了したことを示す情報を、携帯端末６に対して送信する。
【０１５３】
ステップＳ１０９において、表示制御部６０２は、携帯端末６に関連付けられていた全ての写真が画像提供サイトに保存されたことを示す画面を表示させる。
【０１５４】
（未保存画像に係る通知例２）
本例では、少なくとも一部の処理がサーバ上で実現される所定のサービスにおいて利用可能となるコンテンツに関連付けられた携帯端末（端末装置）６であって、当該コンテンツと携帯端末６との関連付けが解消される第１の日時を示す情報を取得する制御部６０１を備え、制御部６０１は、現時点の日時が、前記第１の日時を起点とした第２の期間内である場合に、前記第１の日時に携帯端末６と当該コンテンツとの関連付けが解消されることを示すダイアログ画面を、携帯端末６を介して前記所定のサービスが利用中であるか否かに関わらず表示させる表示制御部６０２を備える携帯端末６における処理の一例についてステップごとに説明する。これにより、画像管理サービスが利用中でなくとも、コンテンツの保存を行っていないユーザに対するコンテンツの保存忘れを防止できる。また、以下の説明においては、既に上記の例で説明した事項についての重複する説明を繰り返さない。図１５は、本例に係る処理を示すフローチャートである。
【０１５５】
ステップＳ２０１において、管理サーバが備える制御部４０１は、ステップＳ２０２以降の処理を行う所定の条件が満たされたか否かを判定する。ここで、所定の条件とは、例えば、現在の日時が所定の時刻であることや、前回に当該処理を行ってから所定の時間が経過したこと等であってもよい。制御部４０１が、所定の条件が満たされたと判定した場合、続いてステップＳ２０２の処理が実行され、満たされていないと判定した場合、図１５のフローチャートに基づく処理が終了する。
【０１５６】
ステップＳ２０２において、制御部４０１は、記憶部４０２を参照して、画像管理サービスにおける処理の対象となるアカウントのメールアドレスを有する携帯端末６に関連付けられた写真であって、画像提供サイトにまだ保存されていない写真が有るか否かを判定する。制御部４０１が、画像提供サイトにまだ保存されていない写真が有ると判定した場合、続いてステップＳ２０３の処理が実行され、まだ保存されていない写真は無いと判定した場合、続いてステップＳ２０６の処理が実行される。
【０１５７】
ステップＳ２０３において、制御部４０１は、ステップＳ２０２で画像提供サイトにまだ保存されていないと判定した写真のうち、現時点の日時が、第１の日時を起点とした、所定の期間である第２の期間内である写真が有るか否かを判定する。また、第２の期間は、上述した第１の期間よりも短い期間である方が望ましいが、必ずしもそうでなくともよい。
【０１５８】
制御部４０１が、現時点の日時が、第１の日時を起点とした第２の期間内である写真が有ると判定した場合、続いてステップＳ２０４の処理が実行され、第２の期間内である写真は無いと判定した場合、続いて、ステップＳ２０６の処理が実行される。
【０１５９】
ステップＳ２０４において、制御部４０１は、画像提供サイトにまだ保存されていない１又は複数の写真と携帯端末６との関連付けが第１の日時に解消されることを示す情報を、携帯端末６に対して送信する。なお、第１の日時は、写真ごとに互いに異なり得る。
【０１６０】
また、当該情報の送信先は、画像管理サービスを利用可能なものとして専用に作成されたアプリケーションがインストールされ、且つ当該アプリケーションに、処理の対象となるアカウントのメールアドレスが登録されている携帯端末６である。
【０１６１】
ステップＳ２０５において、携帯端末６が備える表示制御部６０２は、ステップＳ２０５で管理サーバ４から送信された、１又は複数の写真と携帯端末６との関連付けが第１の日時に解消されることを示すダイアログ画面を表示させる。
【０１６２】
図１６は、当該ダイアログ画面の一例を示す図である。図１６に示す画面において、オブジェクト３２１は、本ステップＳ２０５における処理がなされた時点で、携帯端末６上ではメールのアプリケーションが実行中であったことを示している。オブジェクト３２３は、メールの文面を示している。オブジェクト３２５は、当該ダイアログ画面を示している。また、オブジェクト３２５に例示する通知、または当該通知を行う機能は、所謂「プッシュ通知」等と称される。オブジェクト３２５に例示されるプッシュ通知は、アプリケーションを介して画像管理サービスが利用中であるか否かに関わらず表示されてもよい。
【０１６３】
また、複数の写真と携帯端末６との関連付けが、写真ごとに互いに異なる第１の日時に解消される場合、オブジェクト３２５によって通知される第１の日時は、例えば現時点の日時から直近の日時だけであってもよいし、そうでなくともよい。前者の場合、管理サーバ４から携帯端末６に送信される第１の日時は、現時点の日時から直近の日時だけであってもよい。
【０１６４】
ステップＳ２０６において、制御部４０１は、対象となる全てのアカウントについて、上述した、ステップＳ２０２からステップＳ２０４までの処理を行ったか否かを判定する。ここで、対象となる全てのアカウントとは、例えば、画像管理サービスに登録された全てのアカウントであってもよいし、当該全てのアカウントのうち、所定の規則に応じて区分された一部のアカウントであってもよい。制御部４０１が、対象となる全てのアカウントについて当該処理を行ったと判定した場合、図１５のフローチャートに基づく処理が終了し、対象となる全てのアカウントについて当該処理がまだなされていないと判定した場合、まだ当該処理がなされていないアカウントについて、続いてステップＳ２０２以降の処理を実行する。
【０１６５】
〔変形例〕
ステップＳ１０１における、携帯端末６がアプリケーションを起動する処理は、管理サーバ４から携帯端末６に送信された、写真を画像提供サイトに保存することを案内するメールに記載されたＵＲＬが選択されたことに起因して実行されてもよい。また、当該ＵＲＬには、上述したシールＩＤを示す情報が含まれていてもよい。当該ＵＲＬにシールＩＤを示す情報が含まれる構成においては、当該ＵＲＬが選択された場合、管理サーバ４が備える制御部４０１は、記憶部４０２に保存された写真の中から当該シールＩＤに対応する写真であって、画像提供サイトにまだ保存されていないことをユーザに通知すべき写真を特定できるので、携帯端末６側では画像管理サービスのログインに用いられるアプリケーションが必ずしも起動されずともよい。
【０１６６】
また、管理サーバ４は、所定のサービスを提供するサーバであって、前記所定のサービスにおける、携帯端末６を介して利用可能となるコンテンツ、及び当該コンテンツと携帯端末６との関連付けを保存する記憶部４０２と、当該コンテンツと携帯端末６との関連付けが解消される第１の日時を示す情報を取得し、現時点の日時が、前記第１の日時を起点とした所定の期間内である場合に、携帯端末６に対して前記第１の日時に当該コンテンツと携帯端末６との関連付けが解消されることを示すダイアログ画面を示す情報を送信させる制御部４０１と、を備えていてもよい。これにより、コンテンツの保存を行っていないユーザに対するコンテンツの保存忘れを防止できる。換言して補足すれば、ステップＳ１０５における、画像提供サイトにまだ保存されていない写真のうち、第２の日時が、第１の日時を起点とした、所定の期間である第１の期間内である写真が有るか否かを判定する処理は、管理サーバ４の制御部４０１が実行する構成でもよい。また、前記の構成において、制御部４０１は、携帯端末６から第２の日時を示す情報を取得してよい。また、前記の構成において、制御部４０１は、ダイアログ画面を生成し、当該ダイアログ画面を示す情報を、携帯端末６に対して送信してもよい。
【０１６７】
ステップＳ１０７において、制御部６０１は、画像提供サイトにまだ保存されていない写真を全て保存する指示がなされたと判定した場合、全ての写真を示す情報を携帯端末６に対して送信することと、当該情報を管理サーバ４から削除又は他のサーバ等の装置に移動することとを要求することを示す情報を管理サーバ４に対して送信してもよい。これにより、写真を送信する指示と、管理サーバ４の記憶容量を節約するための指示とを送信可能な携帯端末６を実現できる。また、制御部４０１は、当該情報を受信したことに応答して、当該全ての写真を示す情報を記憶部４０２から削除又は他の装置に移動してもよい。ただし、制御部４０１が、記憶部４０２に保存された写真の一部又は全部を削除又は他の装置に移動する処理は、携帯端末６からの要求によらず、対象となる写真に設定された第１の日時が経過したタイミングで実行されてもよい。また、写真が画像提供サイトにユーザが利用可能なものとして保存された場合、当該写真を示す情報は、第１の日時が経過するよりも前に、管理サーバ４における一定期間の保存を行う記憶領域から削除又は他のサーバ等の装置に移動されてもよい。
【０１６８】
また、ダイアログ画面に含まれる写真およびその表示順は、当該写真の撮影を行った写真シール作成装置１の機種に応じていてもよい。例えば、最新の写真シール作成装置１で撮影した写真は、優先的にダイアログ画面の上の方に表示されてもよいし、同じ機種で撮影された写真は、ダイアログ画面内において連続した位置に配置されてもよい。
【０１６９】
また、ダイアログ画面に含まれる写真およびその表示順は、写真に写っている人数に応じていてもよいし、編集部１２を介した編集の結果に応じていてもよい。例えば、ダイアログ画面には、写っている人数が多い順に写真が上から並べられていてもよいし、編集部１２を介して写真に追加されたオブジェクトの数、又は各オブジェクトが当該写真に対して占める面積が多い順に写真が上から並べられていてもよい。また、写真に写っている人数を推定する方法は特定の方法に限定されず、例えば機械学習等が用いられてもよい。
【０１７０】
また、ダイアログ画面には、図１４に例示した情報以外の情報が含まれていてもよい。例えば、表示される各写真の内部または近傍には、当該写真の撮影日時を示す情報等が含まれていてもよい。また、ダイアログ画面には、例えば、有料会員になることで利用可能となるコンテンツの一部等についての告知等が含まれていてもよい。
【０１７１】
また、ダイアログ画面が表示されるタイミングは、アプリケーションが起動して画像管理サービスへのログインがなされたタイミングに限定されず、アプリケーションにおける所定の操作がなされたタイミングであってもよい。上記所定の操作とは、例えば、マイページの表示を要求する操作、又は画像提供サイトに利用可能なものとして既に保存された写真の表示を要求する操作等であってもよい。
【０１７２】
また、図１４および図１６に例示するように、ダイアログ画面のサイズは、含まれる写真の数およびサイズによって決定されてもよい。また、ダイアログ画面に表示しきれない写真は、例えば、画面をスクロールすることによって切り替えて表示可能な構成でもよい。
【０１７３】
また、上述したように、画像管理サービス等の所定のサービスは、専用に作成されたアプリケーションを介して利用されるものに限定されず、例えば、汎用のブラウザを介して利用されるものであってもよい。また、所定のサービスを実現する管理サーバ４は、アプリケーションサーバとして機能してもよいし、ウェブサーバとして機能してもよい。また、画像提供サイトに対しては、任意のパソコン等からログインが可能であってもよい。
【０１７４】
また、未保存画像に係る通知例２において上述した処理は、携帯端末６にプッシュ通知を表示する処理に限定されず、対象となるアカウントのメールアドレスに、画像提供サイトにまだ保存されていない写真と携帯端末６との関連付けが第１の日時に解消されることを示す情報を含むメールを送信する処理に対しても適用可能である。また、制御部４０１は、当該メールアドレスが登録された所定のＳＮＳ（Social Networking Service）アカウントに対して、画像管理サービスの当該ＳＮＳアカウントを介して、当該情報を通知してもよい。
【０１７５】
また、上述したメール等にも、図１４に示す画面と同様に写真シール作成装置１で撮影した写真が含まれていてもよい。また、ダイアログ画面には必ずしも当該写真が含まれていなくともよい。また、プッシュ通知やメールが携帯端末６に送信されるタイミングは、画像管理サービスのアカウントごとに異なっていてもよい。例えば、制御部４０１は、画像管理サービスにログインされた日時をアカウントごとに記憶部４０２に記録し、各アカウントについて、ログインされた頻度が高い時間帯にプッシュ通知等を送信してもよい。
【０１７６】
また、プッシュ通知等が送信される頻度は、アカウントごとに異なっていてもよい。例えば、画像提供サイトにまだ保存されていない画像が多いアカウントに対応する携帯端末６には、より高頻度でプッシュ通知等が送信される構成でもよい。
【０１７７】
また、図１１における会員データベース４２２の「生年月日」に例示するように、会員情報にはユーザの年齢に関する情報が含まれる構成でもよい。上記の構成においては、プッシュ通知等が送信される頻度やタイミングが、対象となるユーザの年齢に応じて決定されてもよい。例えば、年齢が若いユーザに対しては、所定の時刻以降にはプッシュ通知が行われない構成でもよい。
【０１７８】
また、ダイアログ画面に含まれる写真が、画像提供サイトにまだ保存されていないことを明示する方法は、「ＳＡＭＰＬＥ」等の文字が記載されたオブジェクト３０９等を写真に含ませる方法に限定されず、例えば、写真の一部又は全部の解像度を大きく低下させ、写真をぼかすことによって行われてもよい。また、オブジェクト３０９等を写真に含ませる処理、及び上述した写真の解像度を低下させる処理等は、制御部６０１が行う構成でもよいし、制御部４０１が行った上で、携帯端末６に当該処理が施された写真が送信される構成でもよい。
【０１７９】
また、画像提供サービスにまだ保存されていない写真と携帯端末６とを関連付ける方法は、メールアドレスを介した上述した方法に限定されず、ユーザを一意に識別できる方法であればよい。例えば、写真シール作成装置１と携帯端末６にインストールされたアプリケーションとに、電話番号及びパスワードが入力されることによって関連付けがなされる構成でもよい。
【０１８０】
また、上述した第１の期間および第２の期間、並びに写真シール作成装置１で各写真が撮影されてから各写真と携帯端末６との関連付けが解消されるまでの期間は、写真ごとに互いに異なっていてもよい。これらの期間は、例えば、当該写真の撮影を行った写真シール作成装置１の機種に応じていてもよいし、画像提供サイトにまだ保存されていない写真の枚数に応じていてもよい。
【０１８１】
また、上述したように、上記実施形態で説明した処理は、コンテンツが写真でない場合、例えば、テキスト、イラスト、動画、音楽、期間限定で販売される商品、又は期間限定で使用可能なクーポン等である場合にも適用可能である。換言すると、これらは本実施形態における「コンテンツ」に包含される。
【０１８２】
また、上記実施形態で説明した処理は、携帯端末６が、所定の場所に設置され、容易に移動できない端末装置である場合にも適用可能である。
【０１８３】
〔ソフトウェアによる実現例〕
管理サーバ４および携帯端末６の制御ブロック（特に制御部４０１および制御部６０１）は、集積回路（ＩＣチップ）等に形成された論理回路（ハードウェア）によって実現してもよいし、ソフトウェアによって実現してもよい。
【０１８４】
後者の場合、管理サーバ４および携帯端末６は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【０１８５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１８６】
１  写真シール作成装置
４  管理サーバ（サーバ）
６  携帯端末（端末装置）
１０  撮影画像管理システム
４０１  制御部（サーバ制御部）
４０２  記憶部（サーバ記憶部）
４１４  画像管理部（保存処理部）
４１５  認証部
６０１  制御部
６０２  表示制御部
６０７  表示部
【図１】
2020091583.tif 000003
【図２】
2020091583.tif 000004
【図３】
2020091583.tif 000005
【図４】
2020091583.tif 000006
【図５】
2020091583.tif 000007
【図６】
2020091583.tif 000008
【図７】
2020091583.tif 000009
【図８】
2020091583.tif 000010
【図９】
2020091583.tif 000011
【図１０】
2020091583.tif 000012
【図１１】
2020091583.tif 000013
【図１２】
2020091583.tif 000014
【図１３】
2020091583.tif 000015
【図１４】
2020091583.tif 000016
【図１５】
2020091583.tif 000017
【図１６】
2020091583.tif 000018